(57)【要約】      （修正有）【課題】媒体記憶ディスクを収容し提示するための両面媒体記憶ディスク収容トレイを提供する。【解決手段】両面ディスク収容トレイが、互いに平行な第一および第二主要サイドを含み、第一主要サイドが媒体記憶ディスクを着脱可能に保持する媒体記憶ディスク固定手段を含むとともに第二トレイ上の相補係合手段と係合する係合手段を含んでいる第一トレイ３と、互いに平行な第一および第二主要サイドを含み、第一主要サイドが媒体記憶ディスクを着脱可能に保持する媒体記憶ディスク固定手段を含むとともに第一トレイ上の相補係合手段と係合する係合手段を含んでいる第二トレイ５とを含み、第一および第二トレイが相補係合手段によって係合され、各トレイの第二サイドが隣接し、各トレイの第一サイドが該両面ディスク収容トレイの外面を形成する。【選択図】図１
2006176210.tif 000002
【特許請求の範囲】
【請求項１】
互いに平行な第一および第二主要サイドを含み、前記第一主要サイドが媒体記憶ディスクを着脱可能に保持する媒体記憶ディスク固定手段を含むとともに第二トレイ上の相補係合手段と係合する係合手段を含んでいる第一トレイと、
互いに平行な第一および第二主要サイドを含み、前記第一主要サイドが媒体記憶ディスクを着脱可能に保持する媒体記憶ディスク固定手段を含むとともに第一トレイ上の相補係合手段と係合する係合手段を含んでいる第二トレイと、を含み、
前記第一および第二トレイが前記相補係合手段によって係合され、各トレイの前記第二サイドが隣接し、各トレイの前記第一サイドが両面ディスク収容トレイの外面を形成する両面ディスク収容トレイ。
【請求項２】
前記第一および第二トレイの前記第二サイド間に挿入され、捕捉された情報を含んでいる挿入カードをさらに備えた請求項１に記載の両面ディスク収容トレイ。
【請求項３】
各前記トレイの一部が透明であって挿入物が見えるようにっている請求項２に記載の両面ディスク収容トレイ。
【請求項４】
各前記トレイが透明であって挿入物が見えるようになっている請求項２に記載の両面ディスク収容トレイ。
【請求項５】
前記第二トレイが、前記トレイの前記第一サイドから垂下するトレイ周縁の周りの肩部によって形成されたスカート部を有し、実質的に平坦である請求項１に記載の両面ディスク収容トレイ。
【請求項６】
前記第一トレイが、前記トレイの前記第一サイドから垂下する第一トレイ周縁の周りの肩部によって形成されたスカート部を有し、実質的に平坦である請求項５に記載の両面ディスク収容トレイ。
【請求項７】
第一トレイのスカート部が第二トレイのスカート部と係合している請求項６に記載の両面ディスク収容トレイ。
【請求項８】
前記第一および第二トレイの係合が、一方のトレイのスカート部内に設けられた相補的戻り止めと、他方のトレイのスカート部に設けられた突起部による請求項７に記載の両面ディスク収容トレイ。
【請求項９】
前記第二トレイのスカート部が前記戻り止めを含み、また前記第一トレイのスカート部が前記突起部を含んでいる請求項８に記載の両面ディスク収容トレイ。
【請求項１０】
前記第一トレイが前記トレイから垂下する少なくとも一つの第二肩部を含み、前記第一および第二トレイが係合されたときに前記第一トレイのスカート部の外側が前記第二トレイのスカート部の外面と面一に位置付けられる請求項７に記載の両面ディスク収容トレイ。
【請求項１１】
前記第一トレイまたは第二トレイが、その頂面上に、ヒンジと係合して二つまたはそれ以上の両面ディスク収容トレイをアレイに結合するための部材を含む請求項１に記載の両面ディスク収容トレイ。
【請求項１２】
バックプレートと複数のブラケットを備えた可撓性スパイン・ヒンジをさらに含む請求項１１に記載の両面ディスク収容トレイ。
【請求項１３】
トレイの主要サイドと実質上同じ大きさの前面、スパインおよびトレイの主要サイドと実質上同じ大きさの背面とを備えたカバーをさらに含む請求項１２に記載の両面ディスク収容トレイ。
【請求項１４】
前記可撓性スパイン・ヒンジが、前記カバーをこの可撓性スパイン・ヒンジと収容トレイの頂辺間に保持する請求項１３に記載の両面ディスク収容トレイ。
【請求項１５】
前記第一および第二トレイが前記可撓性スパイン・ヒンジを位置付けし係合するための二対の受承アパーチャを含んでいる請求項１１に記載の両面ディスク収容トレイ。
【請求項１６】
互いに平行な第一および第二主要サイドを各々含み、前記第一主要サイドが媒体記憶ディスクを着脱可能に保持する媒体記憶ディスク固定手段を含むとともに第二トレイ上の相補係合手段と係合する係合手段を含んでいる複数の第一トレイと、
互いに平行な第一および第二主要サイドを各々含み、前記第一主要サイドが媒体記憶ディスクを着脱可能に保持する媒体記憶ディスク固定手段を含むとともに第一トレイ上の相補係合手段と係合する係合手段を含んでいる複数の第二トレイと、を含み、
各第一トレイが前記相補係合手段によって第二トレイに係合され、これによって各トレイの前記第二サイドが隣接し、各トレイの前記第一サイドが両面ディスク収容トレイの外面を形成し、
両面収容トレイを配列して両面ディスク収容トレイのアレイを形成する両面ディスク収容トレイのアレイ。
【請求項１７】
前記第一および第二トレイの前記第二サイド間に挿入され、捕捉された情報を含んでいる挿入カードをさらに備えた請求項１６に記載の両面ディスク収容トレイのアレイ。
【請求項１８】
各前記トレイの一部が透明であって挿入物が見えるようになっている請求項１７に記載の両面ディスク収容トレイのアレイ。
【請求項１９】
各前記トレイが透明であって挿入物が見えるようになっている請求項１７に記載の両面ディスク収容トレイのアレイ。
【請求項２０】
前記第二トレイが、前記トレイの前記第一サイドから垂下するトレイ周縁の周りの肩部によって形成されたスカート部を有し、実質的に平坦である請求項１６に記載の両面ディスク収容トレイのアレイ。
【請求項２１】
前記第一トレイが、前記トレイの前記第一サイドから垂下する第一トレイ周縁の周りの肩部によって形成されたスカート部を有し、実質的に平坦である請求項２０に記載の両面ディスク収容トレイのアレイ。
【請求項２２】
第一トレイのスカート部が第二トレイのスカート部と係合している請求項２１に記載の両面ディスク収容トレイのアレイ。
【請求項２３】
前記第一および第二トレイの係合が、一方のトレイのスカート部内に設けられた相補的戻り止めと、他方のトレイのスカート部に設けられた突起部による請求項２２に記載の両面ディスク収容トレイのアレイ。
【請求項２４】
前記第二トレイのスカート部が前記戻り止めを含み、また前記第一トレイのスカート部が前記突起部を含んでいる請求項２３に記載の両面ディスク収容トレイのアレイ。
【請求項２５】
前記第一トレイが前記トレイから垂下する少なくとも一つの第二肩部を含み、前記第一および第二トレイが係合されたときに前記第一トレイのスカート部の外側が前記第二トレイのスカート部の外面と面一に位置付けられる請求項２２に記載の両面ディスク収容トレイのアレイ。
【請求項２６】
前記第一トレイまたは第二トレイが、その頂面上に、ヒンジと係合して二つまたはそれ以上の両面ディスク収容トレイをアレイに結合するための部材を含む請求項１６に記載の両面ディスク収容トレイのアレイ。
【請求項２７】
バックプレートと複数のブラケットを備えた可撓性スパイン・ヒンジをさらに含む請求項２６に記載の両面ディスク収容トレイのアレイ。
【請求項２８】
トレイの主要サイドと実質上同じ大きさの前面、スパインおよびトレイの主要サイドと実質上同じ大きさの背面とを備えたカバーをさらに含む請求項２７に記載の両面ディスク収容トレイのアレイ。
【請求項２９】
前記可撓性スパイン・ヒンジが、前記カバーをこの可撓性スパイン・ヒンジと収容トレイの頂辺間に保持する請求項２８に記載の両面ディスク収容トレイのアレイ。
【請求項３０】
前記第一および第二トレイが少なくとも一つの前記可撓性スパイン・ヒンジを位置付けし係合するための二対の受承アパーチャを含んでいる請求項２６に記載の両面ディスク収容トレイのアレイ。
【請求項３１】
二つまたはそれ以上の両面ディスク収容トレイが前記少なくとも一つの可撓性スパイン・ヒンジの周りに閉止形状に保持された請求項２７に記載の両面ディスク収容トレイのアレイ。
【請求項３２】
前記第一および第二収容トレイの各々の一つが少なくとも一つの磁石を含み、前記磁石が配列されて互いに吸引し合い、アレイ内に前記両面収容トレイを保持する請求項１６に記載の両面ディスク収容トレイのアレイ。
【請求項３３】
全前記収容トレイが少なくとも一つの磁石を含み、前記磁石が配列されて互いに吸引し合い、アレイ内に前記両面収容トレイを保持する請求項１６に記載の両面ディスク収容トレイのアレイ。
【請求項３４】
バック・プレートと複数のブラケットを備えた可撓性スパイン・ヒンジと、トレイの主要サイドと実質上同じ大きさの前面、スパインおよびトレイの主要サイドと実質上同じ大きさの背面を備えたカバーとをさらに含み、前記可撓性スパイン・ヒンジが前記カバーを前記可撓性スパイン・ヒンジと両面ディスク収容トレイのアレイにある頂辺間に保持する請求項３２に記載の両面ディスク収容トレイのアレイ。
【発明の詳細な説明】
【技術分野】
【０００１】
本発明は媒体記憶ディスクを収容し提示するための両面媒体記憶ディスク収容トレイに関し、より詳しくは他の同様のトレイと配列し結合できるトレイにも関するが、これに限定されない。
【背景技術】
【０００２】
ディジタル多目的ディスク（「ＤＶＤ」）またはコンパクト・ディスク（「ＣＤ」）のように当該技術において呼ばれているディジタル媒体記憶ディスク（「ディスク」）を提示し、収容するためのケースが知られている。この種のケースはブック状または札入れタイプのデザインになっており、これによってディスクは中央ロゼット上に保持される。多数のディスクを収容する必要があるときに、ケースの内部に垂下されるヒンジ付きトレイ上に配置される。これによってケースが折り畳まれたときにアクセスが可能になる。図示情報および書誌情報は、ケースの前面または背面（あるいはその両方）に、またはケース内に収容されたブックレットに設けられる。
【０００３】
しかし、ケースの外部の前面または背面を利用してより多くのディスクを収容し、またこの種のケースを容易に、かつ、互いに一定の割合で配列して大きい、または多数のディスク収容集合体を形成する方法はない。
【発明の開示】
【発明が解決しようとする課題】
【０００４】
従って、本発明の目的は、従来技術の欠点を適切に処理する少なくともある方法を提供し、または両面ディスク・トレイ・システムのために必要とする少なくともある方法を提供し、あるいは有効な選択を公的に少なくとも提供することである。
【課題を解決するための手段】
【０００５】
従って、互いに平行な第一および第二主要サイドを含み、第一主要サイドが媒体記憶ディスクを着脱可能に保持する媒体記憶ディスク固定手段を含むとともに第二トレイ上の相補係合手段と係合する係合手段を含んでいる第一トレイと、
互いに平行な第一および第二主要サイドを含み、第一主要サイドが媒体記憶ディスクを着脱可能に保持する媒体記憶ディスク固定手段を含むとともに第一トレイ上の相補係合手段と係合する係合手段を含んでいる第二トレイと、を含み、
第一および第二トレイが相補係合手段によって係合され、各トレイの第二サイドが隣接し、各トレイの第一サイドが該両面ディスク収容トレイの外面を形成する両面ディスク収容トレイを提供する。
【０００６】
好ましくは、両面ディスク収容トレイは第一および第二トレイの第二サイド間に挿入され、捕捉された情報を含んでいる挿入カードをさらに備えている。
【０００７】
好ましくは、各前記トレイの一部が透明であって挿入物が見えるようになっている。
【０００８】
他の実施例において、各前記トレイが透明であって挿入物が見えるようになっている。
【０００９】
好ましくは、第二トレイが、トレイの第一サイドから垂下するトレイ周縁の周りの肩部によって形成されたスカート部を有し、実質的に平坦である。
【００１０】
好ましくは、第一トレイが、トレイの第一サイドから垂下する第一トレイ周縁の周りの肩部によって形成されたスカート部を有し、実質的に平坦である。
【００１１】
好ましくは、第一トレイのスカート部が第二トレイのスカート部と係合している。
【００１２】
好ましくは、第一および第二トレイの係合が、一方のトレイのスカート部内に設けられた相補的戻り止めと、他方のトレイのスカート部に設けられた突起部による。
【００１３】
好ましくは、第二トレイのスカート部が前記戻り止めを含み、また第一トレイのスカート部が前記突起部を含んでいる。
【００１４】
好ましくは、第一トレイが前記トレイから垂下する少なくとも一つの第二肩部を含み、第一および第二トレイが係合されたときに第一トレイのスカート部の外側が第二トレイのスカート部の外面と面一に位置付けられる。
【００１５】
好ましくは、第一トレイまたは第二トレイが、その頂面上に、ヒンジと係合して二つまたはそれ以上の両面ディスク収容トレイをアレイに結合するための部材を含んでいる。
【００１６】
好ましくは、両面ディスク収容トレイがバックプレートと複数のブラケットを備えた可撓性スパイン・ヒンジをさらに含んでいる。
【００１７】
好ましくは、両面ディスク収容トレイがトレイの主要サイドと実質上同じ大きさの前面、スパインおよびトレイの主要サイドと実質上同じ大きさの背面とを備えるカバーを含んでいる。
【００１８】
好ましくは、可撓性スパイン・ヒンジがカバーをこの可撓性スパイン・ヒンジと収容トレイの頂辺間に保持している。
【００１９】
好ましくは、第一または第二トレイが可撓性スパイン・ヒンジを位置付けし係合するための二対の受承アパーチャを含んでいる。
【００２０】
従って、両面ディスク収容トレイのアレイも提供し、このアレイが互いに平行な第一および第二主要サイドを各々含み、第一主要サイドが媒体記憶ディスクを着脱可能に保持する媒体記憶ディスク固定手段を含むとともに第二トレイ上の相補係合手段と係合する係合手段を含んでいる複数の第一トレイと、
互いに平行な第一および第二主要サイドを各々含み、第一主要サイドが媒体記憶ディスクを着脱可能に保持する媒体記憶ディスク固定手段を含むとともに第一トレイ上の相補係合手段と係合する係合手段を含んでいる複数の第二トレイと、を含み、
各第一トレイが相補係合手段によって第二トレイに係合され、これによって各トレイの第二サイドが隣接し、各トレイの第一サイドが両面ディスク収容トレイの外面を形成し、
両面収容トレイを配列して両面ディスク収容トレイのアレイを形成する。
【００２１】
好ましくは、両面ディスク収容トレイのアレイが第一および第二トレイの第二サイド間に挿入され、捕捉された情報を含んでいる挿入カードをさらに備えている。
【００２２】
好ましくは、各トレイの一部が透明であって挿入物が見えるようになっている。
【００２３】
別の例において、各トレイが透明であって挿入物が見えるようになっている。
【００２４】
好ましくは、各第二トレイが、トレイの第一サイドから垂下するトレイ周縁の周りの肩部によって形成されたスカート部を有し、実質的に平坦である。
【００２５】
好ましくは、各第一トレイが、トレイの第一サイドから垂下する第一トレイ周縁の周りの肩部によって形成されたスカート部を有し、実質的に平坦である。
【００２６】
好ましくは、各第一トレイのスカート部が第二トレイのスカート部と係合している。
【００２７】
好ましくは、第一および第二トレイの係合が、一方のトレイのスカート部内に設けられた相補的戻り止めと、他方のトレイのスカート部に設けられた突起部による。
【００２８】
好ましくは、各第二トレイのスカート部が前記戻り止めを含み、また各第一トレイのスカート部が前記突起部を含んでいる。
【００２９】
好ましくは、各第一トレイが前記トレイから垂下する少なくとも一つの第二肩部を含み、第一および第二トレイが係合されたときに第一トレイのスカート部の外側が各第二トレイのスカート部の外面と面一に位置付けられる。
【００３０】
好ましくは、第一トレイまたは第二トレイが、その頂面上に、ヒンジと係合して二つまたはそれ以上の両面ディスク収容トレイをアレイに結合するための部材を含んでいる。
【００３１】
好ましくは、アレイがバックプレートと複数のブラケットを備えた少なくとも一つの可撓性スパイン・ヒンジをさらに含んでいる。
【００３２】
好ましくは、アレイがトレイの主要サイドと実質上同じ大きさの前面、スパインおよびトレイの主要サイドと実質上同じ大きさの背面とを備えたカバーをさらに含んでいる。
【００３３】
好ましくは、可撓性スパイン・ヒンジがカバーをこの可撓性スパイン・ヒンジと収容トレイの頂辺５間に保持する。
【００３４】
好ましくは、各第一および第二トレイが可撓性スパイン・ヒンジを位置付けし係合するための二対の受承アパーチャを含んでいる。
【００３５】
好ましくは、アレイを形成するために二つまたはそれ以上の両面ディスク収容トレイが前記可撓性スパイン・ヒンジの周りに閉止形状に保持されている。
【００３６】
好ましくは、第一または第二収容トレイいずれかの全てが少なくとも一つの磁石を含み、前記磁石が配列されて互いに吸引し合い、アレイ内に両面収容トレイを保持する。
【００３７】
別の方法において、全収容トレイが少なくとも一つの磁石を含み、前記磁石が配列されて互いに吸引し合い、アレイ内に両面収容トレイを保持する。
【００３８】
一実施例において、両面ディスク収容トレイのアレイがバック・プレートと複数のブラケットを備えた少なくとも一つの可撓性スパイン・ヒンジと、トレイの主要サイドと実質上同じ大きさの前面、スパインおよびトレイの主要サイドと実質上同じ大きさの背面を備えたカバーとをさらに含み、可撓性スパイン・ヒンジがカバーを可撓性スパイン・ヒンジと両面ディスク収容トレイのアレイにある頂辺間に保持している。
【００３９】
本発明は、本願明細書中に個別にまたは集合的に言及され、指示された部品、要素または構成物および前記部品、要素および構成物のいずれか二つまたはそれ以上のいずれかまたは全ての組み合わせからなると概して言うことができ、さらにここに開示した特定する完全体は本発明の関連する当該技術において等価なものとして知られており、この公知の等価物はあたかも個々に説明されたようにここに組み込まれるものと考える。
【発明を実施するための最良の形態】
【００４０】
本発明の好ましい実施例を次に添付図面を参照して説明する。
【００４１】
本発明の好ましい実施例を図１から２３に示す。
【００４２】
記録されたまたは記録可能な媒体記憶ディスクはＣＤ（コンパクト・ディスク）、ＶＣＤ（ビデオ・コンパクト・ディスク）、ＤＶＤ（ディジタル多目的ディスク）等が含まれる。
【００４３】
図１は本発明の両面トレイを示す。この両面トレイ１は第一トレイ３と第二トレイ５の組立部品を備えている。第一トレイ３と第二トレイ５は、媒体記憶ディスク（図示せず）を保持するための部材をその第一サイド４に各々有している（第一トレイ３上に第一部材９Ａ、および第二トレイ５の下方上に第二部材９Ｂ）。
【００４４】
第一トレイ３は第一主要サイド４上の実質上平坦面を備えており、この上に媒体記憶ディスクを保持するための手段９Ａが設けられている。この好ましい実施例において、ディスク保持手段９Ａはロゼットである。しかし、他の実施例において、第一部材は第一トレイ３に一体形成することもできる。
【００４５】
ロゼット部材は普通可撓性材料であり、これによってロゼットが、ディスクを取り外し可能な位置につくように移動可能である。しかし、ロゼットは普通保持状態にあるので、ディスクがロゼットに係合しているときは、ロゼットはディスクをしっかり保持して、ディスクがロゼットから外れることを阻止している。
【００４６】
本発明の好ましい形状にあるロゼットは、ベース４の実質上中央に、かつ、ディスクを保持したときにベース４に対して実質上平行に、またボックスが閉じられたときに蓋とも平行になるような方法で設けられる。ロゼットはベースの主要面上方に盛り上がったプラットフォーム上にディスクを支持するので、ディスクの記憶領域はボックスのどの部分とも接触することのない方法で保持される。
【００４７】
ロゼット部材はディスクの中央アパーチャの周縁で係合し、アパーチャから延長し、また例えばディスクの上方向対向面（ベースから離れて対面する面）の一部と係合するキャッチないしリップ構成を含んでいてもよい。キャッチないしリップ構成はディスクの頂部上に配置され、またロゼットに対して軸方向への回転を阻止している。ロゼットは例えばロゼットを（ベースに向けて）押し下げることによってディスクを底から外すことができるプッシュ・リリース状ロゼットである。トレイはディスクの周縁の周りから外面４に配置され、凹所６からディスクに容易にアクセスしてこれを取り外すことができるフィンガー・アパーチャ１０（図１１に示す）をさらに含んでいる。
【００４８】
第二トレイ５は第一トレイ３の主要面と類似の第一主要面を含んでいる。
【００４９】
肩部１７が第一トレイ３の実質上周りに第一サイド４から離れるように延長し、図５に示すように第一トレイのスカート部１９を形成している。肩部が第一トレイ３に剛性を与えるとともに第二トレイ５との係合のための位置を提供している。好ましい実施例において、スカート部は第一ディスク受承凹所とほぼ同じ深さに延長している。別の実施例において、スカート部はディスク受承凹所の深さを越えて延長してもよい。
【００５０】
第一トレイのスカート部の外側上に、対応する第二トレイのスカート部上の相補手段と係合する手段が設けられている。好ましい実施例において、第一トレイのスカート部が、第二トレイのスカート部内の相補的戻り止めと係合する突起部２３を有している。
【００５１】
好ましい実施例において、第一トレイのスカート部１９を規定する第一トレイの肩部１７が、第一トレイ３の外面４の周縁から設けられリップ２７を規定している。第二トレイ５と組み合わされたときに、リップ２７が第二トレイ５の頭部エッジと面一に着座して滑らかなサイドを呈し、また第二トレイ５と係合したときに第一トレイ３に対する停止部材として作用する。他の実施例において、リップ２７は設けなくてもよく、また第一トレイ３の外面４は第二トレイのスカート部１５のエッジと面一に着座してもよい（以下に規定する）。このような実施例において、第一トレイのスカート部１７は第二トレイ５の内面２に抗して停止部材として作用する。
【００５２】
再び図１を参照すると、第二トレイ５は第一トレイ３と同様の構造になっており、第二トレイの外面４内に嵌合される第二ディスク受承凹所６を有している。ディスク１１を保持するための第二部材９Ｂ（図示せず）も凹所６内に設けられている。フィンガー・アパーチャが凹所６の周りに設けられ、図１５に示すようにディスクを第二トレイから容易に取り外せるようになっている。
【００５３】
図５に示すように、第二トレイ５は第二トレイ肩部１３を含んでおり、第二トレイ５の周縁で外面４上の周りに延長し、外面４から垂下している。これらが第二トレイのスカート部１５を規定している。しかし、第一トレイのスカート部と相違して、第二トレイのスカート部はリップを形成していない。
【００５４】
第二トレイのスカート部１５は第二トレイ５から充分に延長し第一および第二トレイの外面間に凹所８を規定している。第二トレイのスカート部１５によって規定された凹所８は第一および第二トレイ内に媒体記憶ディスク凹所を許容している。第二トレイのスカート部１５の提示表面の内部に、第一トレイのスカート部１９と係合する手段２１が設けられている。好ましい実施例において、第一トレイのスカート部１９上の突起部２３と係合するように適用された戻り止め２１が設けられている。図示実施例において、これらの相補的係合手段は第一トレイ３および第二トレイ５の各コーナーまたはその近傍に配置され、各々組み合わされた両面トレイ１のためのこの種の８個の係合部を形成している。別の実施例において、異なる数の相補的係合手段を設けることもできる。
【００５５】
他の実施例において、係合手段の構成は突起部を第二トレイのスカート部に設けて、戻り止めを第一トレイのスカート部に設けるように変形してもよい。さらなる実施例において、別の係合手段として図５に示したように重なり合った状態で存在する部材を結合するための当該技術で公知である溝と舌片、摩擦手段または他の手段を設けることもできる。
【００５６】
挿入カード１１は両面トレイの一部として設けることもできる。この挿入カードは情報を含んでもよい。挿入カードは凹所内に一致するいずれのサイズとすることができる。挿入カードはブックレットまたは印刷物を保持するのに適したいずれかの材料とすることができる。
【００５７】
第一および第二トレイは一部または全体が透明であってもよい。
【００５８】
第一および第二トレイを係合して形成された両面トレイは、図１８に示したようにカバーを保持するために集合体の頂辺２６に沿ってアパーチャ３０を含んでもよい。アパーチャはカバーをトレイ集合体の周りに配置するとともに、カバーを通ってアパーチャに嵌め込まれるヒンジ手段によって固定される。
【００５９】
カバーはいずれの適切な材料で形成することができるが、一般的にプラスチック、厚紙または紙あるいはプラスチックと紙の組み合わせから形成される。
【００６０】
別の実施例において、カバーは接着剤または糊によって一つまたは複数のトレイ集合体に固定することができる。
【００６１】
両面トレイ集合体のアレイは図１９から２２に示したように複数の両面トレイと一つまたはそれ以上の可撓性スパイン・ヒンジ３１および任意にカバーを配列して形成することができる。可撓性スパイン・ヒンジは、二つの共通配置された両面トレイ１の共通頂辺２９に配列されたヒンジ手段３６を有している。二つのヒンジ手段３６は頂辺５の各端部に各アレイの一つに対して設けられているのが好ましい。
【００６２】
可撓性スパイン・ヒンジは好ましい実施例において、トレイ集合体スパイン２６の各々内にアパーチャ３０を受承することによって係合され、強固に保持される複数のブラケット３２を有している。図２１に示されたヒンジは、第一集合体スパインなどに保持されたブラケット３２ａと３２ｂで三つのトレイ集合体を一緒に連結するのに適用される。可撓性スパイン・ヒンジ上でブラケットまたは対をなすブラケットの数を増減させることによって異なる数のトレイ集合体を互いに連結することができる。
【００６３】
カバー３３が両面収容トレイのアレイの両面収容トレイに必要であれば、これをブラケット３２と係合してこれによって保持されたカバーによって可撓性スパイン・ヒンジ３１と集合トレイ間に配置することができる。このような係合はカバー・ホール３７によって促進され、トレイ内のアパーチャと係合する前にこのホールにブラケット３２が挿通される。別の方法において、カバーは接着剤または糊を使用してトレイに固定することもできる。
【００６４】
図１０は二つのヒンジ（図示せず）とカバー３３によって連結された二つの集合体のアレイを示す。図１０から分かるように、ヒンジが両面トレイを回転させてトレイに収容された全てのディスクへのアクセスを可能にしている。各両面トレイはさらに広げることができ両面トレイ内部に収容された情報にアクセスできる。
【００６５】
図２３は二つのヒンジ３１とカバー３３によって連結された三つの両面トレイのアレイを示す。本実施例のヒンジは図２１に示したものと同じである。
【００６６】
使用に際して、第一および第二トレイを係合する前に、視覚情報および／または書込み情報を含む挿入カード１１が、図１および３に示したように第一トレイ３と第二トレイ５間に配置される。第二トレイ５のスカート部が挿入カードを第二トレイに収めることを可能にする。
【００６７】
次に、挿入カード１１は、二つのトレイが係合され、両面トレイに組み立てられたときに、二つのトレイ間に捕捉され保持される。一実施例において、トレイは透明材料、好ましくは透明プラスチックから形成される。本実施例において、第一および第二トレイを形成している材料の透明性のために、挿入カード１１に提示された情報が第一トレイ３および第二トレイ５を通してはっきり見ることができる。他の実施例において、一方のみのトレイまたはその一部を、必要であれば透明にすることもできる。さらに別の実施例において、トレイを不透明材料で形成してもよい。
【００６８】
ここで図２を参照して、前記第一トレイ３および第二トレイ５の各々は磁石３６を受承するための保持手段２８をさらに含んでいる。この保持手段は、好ましい実施例において、一つまたは両方のトレイの内面２に配備され、第一および第二トレイが係合されたときに整列状態に位置付けられる
磁石を含む実施例において、磁石は二つまたはそれ以上の両面トレイが互いに集合されたときに、集合体内の第一および第二トレイの一方のみに設けられ、一つの両面トレイ集合体内の磁石３６が正しく方向付けられたときに、他方の両面トレイ集合体内の磁石を吸引する。従って、これらの集合体が互いに充分接近すると、近接位置に保持され、必要ならば集合体のアレイを開くようにブロークンし、集合体内部のディスクにアクセスまたは戻すことができる（図９に示す）。別の実施例において、磁石は第一および第二トレイ両方に設けられている。
【００６９】
第一トレイ３および第二トレイ５は、これら二つ（任意に両者間に挿入カード１１を伴って）を集合させるとともに、第二トレイのスカート部１５内部に第一トレイのスカート部１９を配置し、戻り止め２１と突起部２３が係合して第一トレイ３が第二トレイ５に保持されるまで二つを一緒に押圧することによって両面トレイ１が形成される。
【００７０】
好ましい実施例において、少なくとも一つのトレイの少なくとも一部が透明で、挿入カード１１上の情報をトレイを介して見ることができる。これらの好ましい実施例において、第一および第二トレイは、係合された後では容易に取り外すことができない。
【００７１】
二つまたはそれ以上のトレイ集合体がアレイに設けられれば、集合体はヒンジで互いに連結することができる。図２２に示した実施例において、三つの集合体がカバー３３とヒンジ３１を使用してアレイ３８に連結されている。アレイはヒンジのみを使用して形成でき、またカバーは必須ではないことに注意しなければならない。さらなる実施例において、ヒンジ３１は三つの別々のヒンジを各集合体に一つ備えており、本実施例でカバーはアレイを形成するのに必須である。
【００７２】
本発明の利点は、スリムな両面収容トレイを提供するのに使用することができる。図１３，１６および１７から分かるように、各トレイの厚みは実質上収容ディスクに与えられた必要とする厚みのみである。これにより、トレイのスカート部によって規定されるような、挿入カードのための小さい凹部がトレイ間に残される。両面収容トレイの厚みは、スカート部の厚みによって、収容ディスクに必要とされる厚みに等しいかまたはこれよりも大きいいずれの厚みに規定される。
【００７３】
以上は本発明の好ましい形態を含む発明について説明した。当該技術に習熟した人に対して明白であろう変形例および修正例は、添付請求の範囲によって規定するようにその範囲に組み込まれることを意図している。
【図面の簡単な説明】
【００７４】
【図１】組み立てる前の第一トレイ、挿入カードおよび第二トレイの斜視図である。
【図２】磁石の位置および挿入を示す図１の第二トレイの拡大図である。
【図３】挿入カードが第二トレイ内に配置された第一トレイ、挿入カードおよび第二トレイを示す斜視図である。
【図４】第一トレイと第二トレイを一緒に固定するための相補係合手段を示す拡大図である。
【図５】第一トレイと第二トレイの係合を示す第一および第二トレイの断面図である。
【図６】両面収容トレイを形成する組み立てられた第一および第二トレイを示す図である。
【図７】アレイに配列されたときの同様の両面トレイを結合させるための磁気手段の位置を示す拡大図である。
【図８】両面トレイのアレイの斜視図である。
【図９】スパインを軸にして図８の両面トレイのアレイを開けるための手順を示す図である。
【図１０】カバーを設けた二つの両面トレイのアレイを示す斜視図である。
【図１１】第一トレイの平面図である。
【図１２】図１１の第一トレイの裏側を示す平面図である。
【図１３】図１１および１２示すような第一トレイの一連の断面図である。
【図１４】第二トレイの平面図である。
【図１５】図１４の第二トレイの裏側を示す平面図である。
【図１６】図１４および１５に示すような第二トレイの一連の断面図である。
【図１７】図１４および１５に示すようなさらなる断面図である。
【図１８】組み立てられた両面トレイのスパイン上のアパーチャを示す斜示図である。
【図１９】三つの両面トレイのアレイを示す斜示図である。
【図２０】両面トレイのアレイに取り付け可能なカバーを示す斜示図である。
【図２１】可撓性スパイン・ヒンジを示す斜示図である。
【図２２】カバー、可撓性スパイン・ヒンジおよび一連のトレイを組み立てる工程を示す斜示図である。
【図２３】カバー、ヒンジおよび一連のトレイの完成した組立品を示す斜示図である。
【図２４】上部トレイおよび下方トレイの断面図である。
【符号の説明】
【００７５】
１  両面トレイ
２  内面
３  第一トレイ
４  ベース、外面
５  第二トレイ
６、８  凹所
９Ａ  ディスク保持手段
１０  フィンガー・アパーチャ
１１  ディスク、挿入カード
１３  第二トレイの肩部
１５  第二トレイのスカート部
１７  第一トレイの肩部
１９  第一トレイのスカート部
２１  戻り止め
２３  突起部
２６  頂辺、スパイン
２７  リップ
２８  保持手段
２９  共通頂辺
３０  アパーチャ
３１  可撓性スパイン・ヒンジ
３２  ブラケット
３３  カバー
３６  ヒンジ手段、磁石
３７  カバー・ホール
３８  アレイ
【図１】
2006176210.tif 000003
【図２】
2006176210.tif 000004
【図３】
2006176210.tif 000005
【図４】
2006176210.tif 000006
【図５】
2006176210.tif 000007
【図６】
2006176210.tif 000008
【図７】
2006176210.tif 000009
【図８】
2006176210.tif 000010
【図９】
2006176210.tif 000011
【図１０】
2006176210.tif 000012
【図１１】
2006176210.tif 000013
【図１２】
2006176210.tif 000014
【図１３】
2006176210.tif 000015
【図１４】
2006176210.tif 000016
【図１５】
2006176210.tif 000017
【図１６】
2006176210.tif 000018
【図１７】
2006176210.tif 000019
【図１８】
2006176210.tif 000020
【図１９】
2006176210.tif 000021
【図２０】
2006176210.tif 000022
【図２１】
2006176210.tif 000023
【図２２】
2006176210.tif 000024
【図２３】
2006176210.tif 000025
【図２４】
2006176210.tif 000026